(57)【特許請求の範囲】
【請求項１】
符号化済み信号を復号化する装置であって、
一つ又は複数の処理済みダウンミックス信号を受信し、かつ前記符号化済み信号を受信するインターフェイス（２１０）であって、前記一つ又は複数の処理済みダウンミックス信号は一つ又は複数の未処理のダウンミックス信号を符号化したものであり、前記符号化済み信号は一つ又は複数のオーディオオブジェクトについてのパラメトリック・オーディオオブジェクト情報と追加的パラメトリック情報とを含み、前記追加的パラメトリック情報は一つ又は複数の追加的信号をパラメータ化したものであり、前記一つ又は複数の追加的信号の各々は、符号化装置によって一つ又は複数の第１復号化済み信号の一つと前記一つ又は複数の未処理のダウンミックス信号の一つとの間の差分信号を生成することから得られたものであり、前記一つ又は複数の第１復号化済み信号は、前記符号化装置内の復号化ユニットによって前記一つ又は複数の処理済みダウンミックス信号を復号化することから得られたものである、インターフェイス（２１０）と、
前記一つ又は複数の処理済みダウンミックス信号を復号化して、一つ又は複数の第２復号化済み信号を得るオーディオ復号器（５１０）と、
前記一つ又は複数の第２復号化済み信号と、前記パラメトリック・オーディオオブジェクト情報と、前記追加的パラメトリック情報と、前記オーディオシーン内の前記一つ又は複数のオーディオオブジェクトの配置を示すレンダリング情報とに基づいて、複数の空間オーディオ信号を含むオーディオシーンを生成するオーディオシーン生成部（２２０）であって、前記オーディオシーン内で前記追加的パラメトリック情報によって表現される出力信号を減衰させ又は除去するよう構成されている、オーディオシーン生成部（２２０）と、
を含む装置。
【請求項２】
請求項１に記載の装置であって、前記一つ又は複数の未処理のダウンミックス信号は、前記一つ又は複数のオーディオオブジェクトのダウンミックスを示す、装置。
【請求項３】
請求項１又は２に記載の装置であって、
前記オーディオシーン生成部（２２０）は、オーディオオブジェクト生成部（５２０；６１０）とレンダラー（５３０；６２０）とを含み，
前記オーディオオブジェクト生成部（５２０；６１０）は、前記一つ又は複数の処理済みダウンミックス信号と、前記パラメトリック・オーディオオブジェクト情報と、前記追加的パラメトリック情報とに基づいて、前記一つ又は複数のオーディオオブジェクトを生成するよう構成され、
前記レンダラー（５３０；６２０）は、前記一つ又は複数のオーディオオブジェクトと、前記パラメトリック・オーディオオブジェクト情報と、レンダリング情報とに基づいて、前記オーディオシーンの前記複数の空間オーディオ信号を生成するよう構成されている、装置。
【請求項４】
請求項３に記載の装置であって、
前記レンダラー（５３０；６２０）は、前記一つ又は複数のオーディオオブジェクトと、前記追加的パラメトリック情報と、前記レンダリング情報とに基づいて、前記オーディオシーンの前記複数の空間オーディオ信号を生成するよう構成されており、前記レンダラー（５３０；６２０）は、前記オーディオシーン内の前記追加的パラメトリック情報によって表現される出力信号を、前記レンダリング情報に含まれる一つ又は複数のレンダリング係数に依存して減衰させ又は除去するよう構成されている、装置。
【請求項５】
請求項４に記載の装置であって、前記追加的パラメトリック情報によって表現される出力信号が前記オーディオシーン内で減衰され又は除去されるかどうかを操作する前記一つ又は複数のレンダリング係数を設定するためのユーザーインターフェイスを更に含む、装置。
【請求項６】
請求項１又は２に記載の装置であって、前記オーディオシーン生成部（２２０）は、前記一つ又は複数の処理済みダウンミックス信号と、前記パラメトリック・オーディオオブジェクト情報と、前記追加的パラメトリック情報と、前記オーディオシーン内の一つ又は複数のオーディオオブジェクトの配置を示すレンダリング情報とに基づいて、複数の空間オーディオ信号を含む前記オーディオシーンを生成するよう構成されており、前記オーディオシーン生成部（２２０）は、前記オーディオシーンを生成するために、前記一つ又は複数のオーディオオブジェクトを生成しないように構成されている、装置。
【請求項７】
請求項１乃至６のいずれか一項に記載の装置であって、
前記オーディオシーン生成部（２２０）は、前記オーディオシーンを以下の式を使用して生成するよう構成されており、
0006277202.tif 000024
ここで、
0006277202.tif 000025
は前記オーディオシーンを示す第１行列であって、前記複数の空間オーディオ信号を示す複数の行を含み、
Ｒ'は前記レンダリング情報を示す第２行列であり、
0006277202.tif 000026
は第３行列であり、
Ｘ'は前記一つ又は複数の処理済みダウンミックス信号を示す第４行列であり、
Ｇ'は第５行列であり、
Ｄ'はダウンミックス行列である第６行列であり、
Ｅ'は複数の第７行列係数を含む第７行列であり、前記第７行列係数は次式により定義され、
0006277202.tif 000027
Ｅ'i,jは行ｉ及び列ｊにおける第７行列係数の一つであり、ｉは行インデックスであり、ｊは列インデックスであり、
ＩＯＣ'i,jは相互相関値を示し、
ＯＬＤ'iは第１の関連するエネルギー値を示し、ＯＬＤ'jは第２の関連するエネルギー値を示す、装置。
【請求項８】
一つ又は複数のオーディオオブジェクトを符号化して符号化済み信号を得る装置であって、
前記一つ又は複数のオーディオオブジェクトをダウンミックスして、一つ又は複数の未処理のダウンミックス信号を得るダウンミキサ（１１０）と、
前記一つ又は複数の未処理のダウンミックス信号を処理して、一つ又は複数の処理済みダウンミックス信号を得る処理モジュール（１２０）であって、前記一つ又は複数の処理済みダウンミックス信号を得るために、前記一つ又は複数の未処理のダウンミックス信号を符号化することによって前記一つ又は複数の未処理のダウンミックス信号を処理するよう構成されている処理モジュール（１２０）と、
一つ又は複数の追加的信号を計算する信号計算部（１３０）であって、復号化ユニット（２４０）と結合部（２５０）とを含み、前記復号化ユニット（２４０）は、前記一つ又は複数の処理済みダウンミックス信号を復号化して、一つ又は複数の復号化済み信号を得るよう構成されており、前記結合部（２５０）は、前記一つ又は複数の復号化済み信号の一つと前記一つ又は複数の未処理のダウンミックス信号の一つとの間の差分信号を生成することにより、前記一つ又は複数の追加的信号の各々を生成するよう構成されている、信号計算部（１３０）と、
前記一つ又は複数のオーディオオブジェクトについてのパラメトリック・オーディオオブジェクト情報と、前記一つ又は複数の追加的信号についての追加的パラメトリック情報とを生成する、オブジェクト情報生成部（１４０）と、
前記符号化済み信号を出力する出力インターフェイス（１５０）であって、前記符号化済み信号は、前記一つ又は複数のオーディオオブジェクトについての前記パラメトリック・オーディオオブジェクト情報と、前記一つ又は複数の追加的信号についての前記追加的パラメトリック情報とを含む、出力インターフェイス（１５０）と、
を含み、
前記一つ又は複数のオーディオオブジェクトの各々にオーディオオブジェクト・エネルギー値が割り当てられ、
前記一つ又は複数の追加的信号の各々に追加的エネルギー値が割り当てられ、
前記オブジェクト情報生成部（１４０）は、参照エネルギー値が前記一つ又は複数のオーディオオブジェクトの各々の前記オーディオオブジェクト・エネルギー値以上となり、かつ、前記参照エネルギー値が前記一つ又は複数の追加的信号の各々の前記追加的エネルギー値以上となるように、前記参照エネルギー値を決定するよう構成され、
前記オブジェクト情報生成部（１４０）は、オーディオオブジェクト・レベル差が前記オーディオオブジェクトの前記オーディオオブジェクト・エネルギー値と前記参照エネルギー値との比を示すか、又は、前記オーディオオブジェクト・レベル差が前記参照エネルギー値と前記オーディオオブジェクトの前記オーディオオブジェクト・エネルギー値との差を示すように、前記一つ又は複数のオーディオオブジェクトの各オーディオオブジェクトについてのオーディオオブジェクト・レベル差を決定することにより、前記パラメトリック・オーディオオブジェクト情報を決定するよう構成され、
前記オブジェクト情報生成部（１４０）は、追加的オブジェクトレベル差が前記追加的信号の前記追加的エネルギー値と前記参照エネルギー値との比を示すか、又は、前記追加的オブジェクトレベル差が前記参照エネルギー値と前記追加的信号の前記追加的エネルギー値との差を示すように、前記一つ又は複数の追加的信号の各追加的信号について前記追加的オブジェクトレベル差を決定することにより、追加的パラメトリック情報を決定するよう構成されている、
装置。
【請求項９】
請求項８に記載の装置であって、
前記一つ又は複数の未処理のダウンミックス信号の各々は複数の第１信号サンプルを含み、前記第１信号サンプルの各々は複数の時点のうちの一つに割り当てられており、
前記一つ又は複数の復号化済み信号の各々は複数の第２信号サンプルを含み、前記第２信号サンプルの各々は前記複数の時点のうちの一つに割り当てられており、
前記信号計算部（１３０）は時間整合ユニット（３４５）を更に含み、その時間整合ユニットは、前記未処理のダウンミックス信号の前記第１信号サンプルの一つが前記復号化済み信号の第２信号サンプルの一つに割り当てられ、前記未処理のダウンミックス信号の前記第１信号サンプルと前記復号化済み信号の前記第２信号サンプルとが複数の時点のうちの同じ時点に割り当てられるように、前記一つ又は複数の復号化済み信号の一つと前記一つ又は複数の未処理のダウンミックス信号の一つとを時間整合させるよう構成されている、装置。
【請求項１０】
請求項８又は９に記載の装置であって、
前記処理モジュール（１２０）は音響効果モジュール（１２２）と符号化モジュール（１２１）とを含み、
前記音響効果モジュール（１２２）は、前記一つ又は複数の未処理のダウンミックス信号の少なくとも一つに対してある音響効果を適用して、一つ又は複数の音響的に調整されたダウンミックス信号を得るよう構成され、
前記符号化モジュール（１２１）は、前記一つ又は複数の音響的に調整されたダウンミックス信号を符号化して、前記一つ又は複数の処理済み信号を得るよう構成されている、装置。
【請求項１１】
請求項８乃至１０のいずれか一項に記載の装置（８１０）と、
請求項１乃至７のいずれか一項に記載の装置（８２０）と、を含むシステムであって、
前記請求項８乃至１０のいずれか一項に記載の装置（８１０）は、一つ又は複数の処理済みダウンミックス信号と一つの符号化済み信号とを、前記請求項１乃至７のいずれか一項に記載の装置（８２０）へと供給するよう構成されており、前記符号化済み信号は、一つ又は複数のオーディオオブジェクトについてのパラメトリック・オーディオオブジェクト情報と、一つ又は複数の追加的信号についての追加的パラメトリック情報とを含み、
前記請求項１乃至７のいずれか一項に記載の装置（８２０）は、前記パラメトリック・オーディオオブジェクト情報と、前記追加的パラメトリック情報と、前記オーディオシーン内の前記一つ又は複数のオーディオオブジェクトの配置を示すレンダリング情報とに基づいて、複数の空間オーディオ信号を含むオーディオシーンを生成するよう構成されている、システム。
【請求項１２】
符号化済み信号を復号化する方法であって、
一つ又は複数の処理済みダウンミックス信号を受信し、かつ前記符号化済み信号を受信するステップであって、前記一つ又は複数の処理済みダウンミックス信号は一つ又は複数の未処理のダウンミックス信号を符号化したものであり、前記符号化済み信号は一つ又は複数のオーディオオブジェクトについてのパラメトリック・オーディオオブジェクト情報と追加的パラメトリック情報とを含み、前記追加的パラメトリック情報は一つ又は複数の追加的信号をパラメータ化したものであり、前記一つ又は複数の追加的信号の各々は、符号化装置によって一つ又は複数の第１復号化済み信号の一つと前記一つ又は複数の未処理のダウンミックス信号の一つとの間の差分信号を生成することから得られたものであり、前記一つ又は複数の第１復号化済み信号は、前記符号化装置内の復号化ユニットによって前記一つ又は複数の処理済みダウンミックス信号を復号化することから得られたものである、ステップと、
前記一つ又は複数の処理済みダウンミックス信号を復号化して一つ又は複数の第２復号化済み信号を得るステップと、
前記一つ又は複数の第２復号化済み信号と、前記パラメトリック・オーディオオブジェクト情報と、前記追加的パラメトリック情報と、前記オーディオシーン内の前記一つ又は複数のオーディオオブジェクトの配置を示すレンダリング情報とに基づいて、複数の空間オーディオ信号を含むオーディオシーンを生成するステップであって、前記オーディオシーン内で前記追加的パラメトリック情報によって表現される出力信号を減衰させ又は除去することにより、オーディオシーンを生成するステップと、
を含む方法。
【請求項１３】
一つ又は複数のオーディオオブジェクトを符号化して符号化済み信号を得る方法であって、
前記一つ又は複数のオーディオオブジェクトをダウンミックスして、一つ又は複数の未処理のダウンミックス信号を得るステップと、
前記一つ又は複数の未処理のダウンミックス信号を処理して一つ又は複数の処理済みダウンミックス信号を得るステップであって、前記一つ又は複数の未処理のダウンミックス信号の処理が、前記一つ又は複数の処理済みダウンミックス信号を得るために、前記一つ又は複数の未処理のダウンミックス信号を符号化することによって実行される、ステップと、
前記一つ又は複数の処理済みダウンミックス信号を復号化して一つ又は複数の復号化済み信号を取得し、かつ、前記一つ又は複数の復号化済み信号の一つと前記一つ又は複数の未処理のダウンミックス信号の一つとの間の差分信号を生成することにより一つ又は複数の追加的信号の各々を生成することによって、前記一つ又は複数の追加的信号を計算するステップと、
前記一つ又は複数のオーディオオブジェクトについてのパラメトリック・オーディオオブジェクト情報と、前記一つ又は複数の追加的信号についての追加的パラメトリック情報とを生成するステップと、
前記符号化済の信号を出力するステップであって、前記符号化済の信号は、前記一つ又は複数のオーディオオブジェクトについての前記パラメトリック・オーディオオブジェクト情報と、前記一つ又は複数の追加的信号についての前記追加的パラメトリック情報とを含む、ステップと、
を含み、
前記一つ又は複数のオーディオオブジェクトの各々にオーディオオブジェクト・エネルギー値が割り当てられ、
前記一つ又は複数の追加的信号の各々に追加的エネルギー値が割り当てられ、
前記パラメトリック・オーディオオブジェクト情報と前記追加的パラメトリック情報とを生成するステップは、参照エネルギー値が前記一つ又は複数のオーディオオブジェクトの各々の前記オーディオオブジェクト・エネルギー値以上となり、かつ、前記参照エネルギー値が前記一つ又は複数の追加的信号の各々の前記追加的エネルギー値以上となるように、前記参照エネルギー値を決定するよう構成され、
前記パラメトリック・オーディオオブジェクト情報と前記追加的パラメトリック情報とを生成するステップは、オーディオオブジェクト・レベル差が前記オーディオオブジェクトの前記オーディオオブジェクト・エネルギー値と前記参照エネルギー値との比を示すか、又は、前記オーディオオブジェクト・レベル差が前記参照エネルギー値と前記オーディオオブジェクトの前記オーディオオブジェクト・エネルギー値との差を示すように、前記一つ又は複数のオーディオオブジェクトの各オーディオオブジェクトについてのオーディオオブジェクト・レベル差を決定することにより、前記パラメトリック・オーディオオブジェクト情報を決定するよう構成され、
前記パラメトリック・オーディオオブジェクト情報と前記追加的パラメトリック情報とを生成するステップは、追加的オブジェクトレベル差が前記追加的信号の前記追加的エネルギー値と前記参照エネルギー値との比を示すか、又は、前記追加的オブジェクトレベル差が前記参照エネルギー値と前記追加的信号の前記追加的エネルギー値との差を示すように、前記一つ又は複数の追加的信号の各追加的信号について前記追加的オブジェクトレベル差を決定することにより、追加的パラメトリック情報を決定するよう構成されている、
方法。
【請求項１４】
コンピュータ又は信号プロセッサ上で作動したときに、請求項１２に記載の方法を実行するコンピュータプログラム。
【請求項１５】
コンピュータ又は信号プロセッサ上で作動したときに、請求項１３に記載の方法を実行するコンピュータプログラム。
【発明の詳細な説明】
【技術分野】
【０００１】
本発明はオーディオ信号処理に関し、特に、隠しオブジェクト(hidden objects)を信号混合操作に使用する、空間オーディオオブジェクト符号化のための復号器、符号器、システム、方法及びコンピュータプログラムに関するものである。
【背景技術】
【０００２】
オーディオ信号処理はその重要度がますます増大しつつある。近年、多数のオーディオオブジェクトを含むオーディオシーンをビットレート効率的に伝送し及び／又は記憶するパラメトリック技術が、オーディオ符号化の分野（非特許文献１、非特許文献２、非特許文献３、非特許文献４、非特許文献５を参照）、更には事前情報付き音源分離(informed source separation)の分野（非特許文献６、非特許文献７、非特許文献８、非特許文献９、非特許文献１０、非特許文献１１を参照）で提案されてきた。これらの技術は、伝送され及び／又は記憶されたオーディオシーン及び／又はそのオーディオシーン内のオーディオ音源オブジェクトを記述する追加的サイド情報に基づいて、所望の出力オーディオシーン又は所望のオーディオシーン・オブジェクトを再構築することを目的としている。
【０００３】
図１１は、ＭＰＥＧ  ＳＡＯＣ（ＭＰＥＧ＝動画専門家グループ、ＳＡＯＣ＝空間オーディオオブジェクト符号化）の一例を示す、現状技術に従うシステムを示す。特に、図１１はＭＰＥＧ  ＳＡＯＣシステムの概略を示している。
【０００４】
現状技術に従えば、一般的な処理は周波数選択的な方法で実行されることが多く、また各周波数帯域内の処理は、例えば以下のように説明され得る。
【０００５】
現状技術のＳＡＯＣ符号器９１０のミキサ９１２の処理の一部として、Ｎ個の入力オーディオオブジェクト信号ｓ1…ｓNが、Ｐ個のチャネルｘ1…ｘpへとミックスダウンされる。要素ｄ1,1,…，ｄN,Pを含むダウンミックス行列が使用されてもよい。加えて、ＳＡＯＣ符号器９１０のサイド情報推定部９１４が、入力オーディオオブジェクトの特性を記述するサイド情報を抽出する。ＭＰＥＧ  ＳＡＯＣにとって、オブジェクトパワー同士の相互の関係は、そのようなサイド情報の基本形式である。
【０００６】
次に、ダウンミックス信号及びサイド情報は、伝送され及び／又は記憶されてもよい。この目的で、ダウンミックスオーディオ信号は、ＭＰＥＧ−１レイヤII若しくはIII（ｍｐ３としても知られている）オーディオ符号器又はＭＰＥＧ先進オーディオ符号化（ＡＡＣ）オーディオ符号器などの、現状技術の知覚的オーディオ符号器９２０によって、符号化、例えば圧縮されてもよい。
【０００７】
受信端において、符号化済み信号は、まず、例えばＭＰＥＧ−１レイヤII若しくはIIIオーディオ復号器又はＭＰＥＧ先進オーディオ符号化（ＡＡＣ）オーディオ復号器などの、現状技術の知覚的オーディオ復号器９４０によって、復号化されてもよい。
【０００８】
次に、現状技術のＳＡＯＣ復号器９５０は、伝送されたサイド情報を使用して、（復号化済み）ダウンミックス信号から、例えば「オブジェクト分離」を実行することで、概念的にオリジナル・オブジェクト信号を復元しようと試みる。その伝送されたサイド情報は、上述したように、例えばＳＡＯＣ符号器９１０のサイド情報推定部９１４によって生成されたものでもよい。オブジェクト分離を実行することによってオリジナル・オブジェクト信号を復元するために、ＳＡＯＣ復号器９５０は、例えば仮想オブジェクト分離部であるオブジェクト分離部９５２を含む。
【０００９】
次に、オブジェクト分離部９５２は、近似されたオブジェクト信号
0006277202.tif 000002
をＳＡＯＣ復号器９５０のレンダラー９５４へと提供してもよく、そのレンダラー９５４は次に、近似されたオブジェクト信号
0006277202.tif 000003
を、例えばレンダリング行列を使用して、Ｍ個のオーディオ出力チャネル
0006277202.tif 000004
により表現される目標シーンへとミックスする。図１１内の係数ｒ1,1...ｒN,Mは、例えばレンダリング行列の係数の幾つかを示してもよい。所望の目標シーンは、特別な場合には、混合（音源分離シナリオ）からの単一音源信号のレンダリングであり得るが、しかしまた、他の任意の音響シーンでもあり得る。
【００１０】
しかしながら、現状技術による処理は幾つかの欠点を有している。
【００１１】
現状技術のシステムは、オーディオ音源信号の処理だけに限定されている。符号器内および復号器内における信号処理は、混合信号またはオリジナル音源オブジェクト信号に対して更なる信号処理が適用されないという仮定の下で実行されている。この仮定が崩れた場合には、そのようなシステムの性能は劣化する。
【００１２】
この仮定を崩す顕著な例として、効率的にダウンミックス信号を運ぶために、処理チェーン内で、あるオーディオ符号器を使用して記憶及び／又は伝送されるべきデータ量を低減することが挙げられる。信号圧縮はダウンミックス信号を知覚的に変化させる。その結果、復号器システム内のオブジェクト分離部の性能が劣化し、従って、レンダリングされた目標シーンの知覚される品質も劣化することになる（非特許文献１０、非特許文献１１を参照）。
【先行技術文献】
【非特許文献】
【００１３】
【非特許文献１】[BCC]  C. Faller and F. Baumgarte, "Binaural Cue Coding - Part II: Schemes and applications," IEEE Trans. on Speech and Audio Proc., vol. 11, no. 6, Nov. 2003
【非特許文献２】[JSC]  C. Faller, "Parametric Joint-Coding of Audio Sources", 120th AES Convention, Paris, 2006
【非特許文献３】[SAOC]  ISO/IEC, "MPEG audio technologies - Part 2: Spatial Audio Object Coding (SAOC)," ISO/IEC JTCI/SC29/WG1 I (MPEG) International Standard 23003-2.
【非特許文献４】[SAOC1] J. Herre, S. Disch, J. Hilpert, O. Hellmuth: "From SAC To SAOC - Recent Developments in Parametric Coding of Spatial Audio", 22nd Regional UK, AES Conference, Cambridge, UK, April 2007
【非特許文献５】[SAOC2] J. Engdegaгd, B. Resch, C. Falch, O. Helmuth, J. Hilpert, A. Hoelzer, L. Terentiev, J. Breebaart, J. Koppens, E. Schuijers and W. Oomen: " Spatial Audio Object Coding (SAOC) - The Upcoming MPEG Standard on Parametric Object Based Audio Coding", 124th AES Convention, Amsterdam 2008
【非特許文献６】[ISS1]  M. Parvaix and L. Girin: "Informed Source Separation of underdetermined instantaneous Stereo Mixtures using Source Index Embedding", IEEE ICASSP, 2010
【非特許文献７】[ISS2]  M. Parvaix, L. Girin, J.-M. Brossier: "A watermarking-based method for informed source separation of audio signals with a single sensor", IEEE Transactions on Audio, Speech and Language Processing, 2010
【非特許文献８】[ISS3]  A. Liutkus and J. Pine! and R. Badeau and L. Girin and G. Richard: "Informed source separation through spectrogram coding and data embedding", Signal Processing Journal, 2011
【非特許文献９】[ISS4]   A. Ozerov, A. Liutkus, R. Badeau, G. Richard: "Informed source separation: source coding meets source separation', IEEE Workshop on Applications of Signal Processing to Audio and Acoustics, 2011
【非特許文献１０】[ISS5] Shuhua Zhang and Laurent Girin: "An Informed Source Separation System for Speech Signals", INTERSPEECH, 2011
【非特許文献１１】[ISS6] L. Girin and J. Pinel: "Informed Audio Source Separation from Compressed Linear Stereo Mixtures", AES 42nd International Conference: Semantic Audio, 2011
【発明の概要】
【発明が解決しようとする課題】
【００１４】
本発明の目的は、オーディオ符号化および復号化のための改善された概念を提供することである。本発明の目的は、請求項１に記載の装置と、請求項９に記載の装置と、請求項１６に記載のシステムと、請求項１７に記載の方法と、請求項１８に記載の方法と、請求項１９に記載のコンピュータプログラムにより達成される。
【課題を解決するための手段】
【００１５】
一つ又は複数のオーディオオブジェクトを符号化して一つの符号化済み信号を得る、装置が提供される。この装置は、一つ又は複数のオーディオオブジェクトをダウンミックスして一つ又は複数の未処理のダウンミックス信号を得る、ダウンミキサを含む。更に、この装置は、一つ又は複数の未処理のダウンミックス信号を処理して一つ又は複数の処理済みダウンミックス信号を得る、処理モジュールを含む。更に、この装置は、一つ又は複数の追加的信号を計算する信号計算部を含み、信号計算部は、一つ又は複数の処理済みダウンミックス信号の一つと、一つ又は複数の未処理のダウンミックス信号の一つと、の間の差に基づいて、一つ又は複数の追加的信号の各々を計算するよう構成されている。更に、この装置は、一つ又は複数のオーディオオブジェクトについてのパラメトリック・オーディオオブジェクト情報と、追加的信号についての追加的パラメトリック情報とを生成する、オブジェクト情報生成部を含む。更に、この装置は、符号化済み信号を出力する出力インターフェイスを含み、符号化済み信号は、一つ又は複数のオーディオオブジェクトについてのパラメトリック・オーディオオブジェクト情報と、一つ又は複数の追加的信号についての追加的パラメトリック情報とを含む。
【００１６】
一実施形態によれば、処理モジュールは、一つ又は複数の未処理のダウンミックス信号を符号化することによってその一つ又は複数の未処理のダウンミックス信号を処理し、一つ又は複数の処理済みダウンミックス信号を得るよう構成されている。
【００１７】
一実施形態において、信号計算部は、復号化ユニットと結合部とを含んでもよい。復号化ユニットは、一つ又は複数の処理済みダウンミックス信号を復号化して、一つ又は複数の復号化済み信号を得るよう構成されてもよい。更に結合部は、一つ又は複数の復号化済み信号の一つと、一つ又は複数の未処理のダウンミックス信号の一つとの差分信号を生成することによって、一つ又は複数の追加的信号の各々を生成するよう構成されてもよい。
【００１８】
一実施形態によれば、一つ又は複数の未処理のダウンミックス信号の各々は複数の第１信号サンプルを含み、その第１信号サンプルの各々が複数の時点(points-in-time)のうちの一つに割り当てられてもよい。一つ又は複数の復号化済み信号の各々は複数の第２信号サンプルを含み、その第２信号サンプルの各々が複数の時点のうちの一つに割り当てられてもよい。信号計算部は時間整合ユニットを更に含んでもよく、その時間整合ユニットは、一つ又は複数の復号化済み信号の一つと、一つ又は複数の未処理のダウンミックス信号の一つとを、時間整合(time-align)させるよう構成されてもよい。その結果、未処理のダウンミックス信号の第１信号サンプルの一つが復号化済み信号の第２信号サンプルの一つに割り当てられ、未処理のダウンミックス信号の第１信号サンプルと復号化済み信号の第２信号サンプルとが複数の時点のうちの同じ時点に割り当てられる。
【００１９】
一実施形態において、処理モジュールは、一つ又は複数の未処理のダウンミックス信号の少なくとも一つに対してあるオーディオ効果を適用することにより、一つ又は複数の未処理のダウンミックス信号を処理して、一つ又は複数の処理済みダウンミックス信号を得るよう構成されてもよい。
【００２０】
一実施形態によれば、オーディオオブジェクト・エネルギー値が一つ又は複数のオーディオオブジェクトの各々に対して割り当てられてもよく、更に、追加的エネルギー値が一つ又は複数の追加的信号の各々に対して割り当てられてもよい。オブジェクト情報生成部は参照エネルギー値を決定するよう構成されてもよく、その場合、参照エネルギー値が一つ又は複数のオーディオオブジェクトの各々のオーディオオブジェクト・エネルギー値以上となるように、また、参照エネルギー値が一つ又は複数の追加的信号の各々の追加的エネルギー値以上となるように、決定してもよい。更に、オブジェクト情報生成部は、一つ又は複数のオーディオオブジェクトの各オーディオオブジェクトについてのオーディオオブジェクト・レベル差を決定することにより、パラメトリック・オーディオオブジェクト情報を決定するよう構成されてもよく、その場合、オーディオオブジェクト・レベル差がオーディオオブジェクトのオーディオオブジェクト・エネルギー値と参照エネルギー値との比を示すか、又は、オーディオオブジェクト・レベル差が参照エネルギー値とオーディオオブジェクトのオーディオオブジェクト・エネルギー値との間の差を示してもよい。更に、オブジェクト情報生成部は、一つ又は複数の追加的信号の各追加的信号について追加的オブジェクトレベル差を決定することにより、追加的オブジェクト情報を決定するよう構成されてもよく、その場合、追加的オブジェクトレベル差が追加的信号の追加的エネルギー値と参照エネルギー値との比を示すか、又は、追加的オブジェクトレベル差が参照エネルギー値と追加的信号の追加的エネルギー値との間の差を示してもよい。
【００２１】
一実施形態において、処理モジュールは、音響効果モジュールと符号化モジュールとを含んでもよい。音響効果モジュールは、一つ又は複数の未処理のダウンミックス信号の少なくとも一つに対してある音響効果を適用し、一つ又は複数の音響的に調整されたダウンミックス信号を得るよう構成されてもよい。更に、符号化モジュールは、一つ又は複数の音響的に調整されたダウンミックス信号を符号化して、一つ又は複数の処理済み信号を得るよう構成されてもよい。
【００２２】
更に、符号化済み信号を復号化する装置が提供され、その符号化済み信号は、一つ又は複数のオーディオオブジェクトについてのパラメトリック・オーディオオブジェクト情報と、追加的パラメトリック情報とを含む。この装置は、一つ又は複数の処理済みダウンミックス信号を受信しかつ符号化済み信号を受信するインターフェイスを含み、追加的パラメトリック情報は、一つ又は複数の処理済みダウンミックス信号を得るために一つ又は複数の未処理のダウンミックス信号に対して実行された処理を反映している。更に、この装置は、一つ又は複数の処理済みダウンミックス信号と、パラメトリック・オーディオオブジェクト情報と、追加的パラメトリック情報と、オーディオシーン内の一つ又は複数のオーディオオブジェクトの配置を示すレンダリング情報と、に基づいて、複数の空間オーディオ信号を含むオーディオシーンを生成するオーディオシーン生成部を含み、そのオーディオシーン生成部は、オーディオシーン内の追加的パラメトリック情報によって表現される出力信号を減衰させ又は除去するよう構成されている。
【００２３】
一実施形態によれば、追加的パラメトリック情報は一つ又は複数の追加的信号に依存してもよく、その追加的情報は、一つ又は複数の処理済みダウンミックス信号の一つと、一つ又は複数の未処理のダウンミックス信号の一つとの差を示し、一つ又は複数の未処理のダウンミックス信号は一つ又は複数のオーディオオブジェクトのダウンミックスを示し、一つ又は複数の処理済みダウンミックス信号は一つ又は複数の未処理のダウンミックス信号の処理の結果として得られたものである。
【００２４】
一実施形態において、オーディオシーン生成部は、オーディオオブジェクト生成部とレンダラーとを含んでもよい。オーディオオブジェクト生成部は、一つ又は複数の処理済みダウンミックス信号と、パラメトリック・オーディオオブジェクト情報と、追加的パラメトリック情報とに基づいて、一つ又は複数のオーディオオブジェクトを生成するよう構成されている。レンダラーは、一つ又は複数のオーディオオブジェクトと、パラメトリック・オーディオオブジェクト情報と、レンダリング情報とに基づいて、オーディオシーンの複数の空間オーディオ信号を生成するよう構成されてもよい。
【００２５】
一実施形態によれば、レンダラーは、一つ又は複数のオーディオオブジェクトと、追加的パラメトリック情報と、レンダリング情報とに基づいて、オーディオシーンの複数の空間オーディオ信号を生成するよう構成されてもよく、ここでレンダラーは、レンダリング情報に含まれた一つ又は複数のレンダリング係数に依存して、オーディオシーン内の追加的パラメトリック情報によって表現される出力信号を減衰させ又は除去するよう構成されてもよい。
【００２６】
一実施形態において、この装置は、オーディオシーン内で追加的パラメトリック情報によって表現された出力信号が減衰され又は除去されるかどうかを操作する一つ又は複数のレンダリング係数を設定するためのユーザーインターフェイスを更に含んでもよい。
【００２７】
一実施形態によれば、オーディオシーン生成部は、一つ又は複数の処理済みダウンミックス信号と、パラメトリック・オーディオオブジェクト情報と、追加的パラメトリック情報と、オーディオシーン内の一つ又は複数のオーディオオブジェクトの配置を示すレンダリング情報とに基づいて、複数の空間オーディオ信号を含むオーディオシーンを生成するよう構成されてもよく、そのオーディオシーン生成部は、オーディオシーンを生成するために、一つ又は複数のオーディオオブジェクトを生成しないように構成されてもよい。
【００２８】
一実施形態において、この装置は、一つ又は複数の処理済みダウンミックス信号を復号化して一つ又は複数の復号化済み信号を得るオーディオ復号器を更に含んでもよく、オーディオシーン生成部は、一つ又は複数の復号化済み信号と、パラメトリック・オーディオオブジェクト情報と、追加的パラメトリック情報と、レンダリング情報とに基づいて、複数の空間オーディオ信号を含むオーディオシーンを生成するよう構成されてもよい。
【００２９】
他の実施形態において、オーディオシーン生成部は、オーディオシーンを次式を用いて生成するよう構成されてもよい。
【００３０】
【数１】
0006277202.tif 000005
【００３１】
ここで、
0006277202.tif 000006
はオーディオシーンを示す第１行列であり、複数の空間オーディオ信号を示す複数の行を含み、Ｒ’はレンダリング情報を示す第２行列であり、
0006277202.tif 000007
は第３行列であり、Ｘ’は一つ又は複数の処理済みダウンミックス信号を示す第４行列であり、Ｇ’は第５行列であり、Ｄ’はダウンミックス行列である第６行列であり、Ｅ’は複数の第７行列係数を含む第７行列であり、第７行列係数は次式により定義される。
【００３２】
【数２】
0006277202.tif 000008
【００３３】
ここで、Ｅ'i,jは行ｉ及び列ｊにおける第７行列係数の一つであり、ｉは行インデックスであり、ｊは列インデックスであり、ＩＯＣ'i,jは相互相関値を示し、ＯＬＤ'iは第１エネルギー値を示し、ＯＬＤ'jは第２エネルギー値を示す。
【００３４】
更に、あるシステムが提供される。このシステムは、上述した実施形態の一つに従う符号化装置と、上述した実施形態の一つに従う復号化装置とを含む。符号化装置は、一つ又は複数の処理済みダウンミックス信号と符号化済み信号とを復号化装置へと供給するよう構成されており、符号化済み信号は、一つ又は複数のオーディオオブジェクトについてのパラメトリック・オーディオオブジェクト情報と、一つ又は複数の追加的信号についての追加的パラメトリック情報とを含む。復号化装置は、パラメトリック・オーディオオブジェクト情報と、追加的パラメトリック情報と、オーディオシーン内の一つ又は複数のオーディオオブジェクトの配置を示すレンダリング情報とに基づいて、複数の空間オーディオ信号を含むオーディオシーンを生成するよう構成されている。
【００３５】
更に、一つ又は複数のオーディオオブジェクトを符号化して符号化済み信号を得る方法が提供される。その方法は、
−一つ又は複数のオーディオオブジェクトをダウンミックスして一つ又は複数の未処理のダウンミックス信号を得るステップと、
−一つ又は複数の未処理のダウンミックス信号を処理して一つ又は複数の処理済みダウンミックス信号を得るステップと、
−一つ又は複数の処理済みダウンミックス信号の一つと一つ又は複数の未処理のダウンミックス信号の一つとの差に基づいて一つ又は複数の追加的信号の各々を計算することにより、一つ又は複数の追加的信号を計算するステップと、
−一つ又は複数のオーディオオブジェクトについてのパラメトリック・オーディオオブジェクト情報と、一つ又は複数の追加的信号についての追加的パラメトリック情報とを生成するステップと、
−符号化済み信号を出力するステップであって、符号化済み信号は、一つ又は複数のオーディオオブジェクトについてのパラメトリック・オーディオオブジェクト情報と、一つ又は複数の追加的信号についての追加的パラメトリック情報とを含むステップと、
を含む。
【００３６】
更に、符号化済み信号を復号化する方法であって、符号化済み信号が、一つ又は複数のオーディオオブジェクトについてのパラメトリック・オーディオオブジェクト情報と追加的パラメトリック情報とを含む、方法が提供される。その方法は、
−一つ又は複数の処理済みダウンミックス信号を受信し、かつ符号化済み信号を受信するステップであって、追加的パラメトリック情報は、一つ又は複数の処理済みダウンミックス信号を得るために一つ又は複数の未処理のダウンミックス信号に対して実行された処理を反映している、ステップと、
−一つ又は複数の処理済みダウンミックス信号と、パラメトリック・オーディオオブジェクト情報と、追加的パラメトリック情報と、オーディオシーン内の一つ又は複数のオーディオオブジェクトの配置を示すレンダリング情報とに基づいて、複数の空間オーディオ信号を含むオーディオシーンを生成するステップと、
−オーディオシーン内で追加的パラメトリック情報によって表現される出力信号を減衰させ又は除去するステップと、
を含む。
【００３７】
更に、コンピュータ又は信号プロセッサ上で作動されたときに上述の方法の一つを実行する、コンピュータプログラムが提供される。
【００３８】
実施形態に従えば、パラメトリック・オブジェクト符号化の概念は、追加的な隠しオブジェクトとして音源オブジェクト又は混合信号の改変／操作を提供することにより、改善／拡張される。サイド情報推定処理および（仮想）オブジェクト分離にこれら隠しオブジェクトを含めることで、レンダリングされた音響シーンの知覚的品質が向上する。隠しオブジェクトは、例えば知覚的オーディオ符号器からの符号化エラー信号のような、ダウンミックス信号に適用される人工的に生成された信号を記述し得るが、また、例えば残響のように、ダウンミックス信号に適用される他の非線形処理の記述でもあり得る。
【００３９】
これら隠しオブジェクトの特性に起因して、それら隠しオブジェクトは、主として復号化側においてレンダリングされることを意図されておらず、（仮想）オブジェクト分離処理を改善するために使用され、それによりレンダリングされた音響シーンの知覚的品質を向上させる。これは、ゼロの再生レベル（「消音」）を用いて隠しオブジェクトをレンダリングすることで達成される。このように、復号器内におけるレンダリング処理は、隠しオブジェクトにより表現された望ましくない要素を抑制して、レンダリングされたシーン／信号の主観的品質を向上させるように、自動的に制御される。
【００４０】
一実施形態によれば、符号化モジュールは知覚的オーディオ符号器であってもよい。
【００４１】
本提案の概念は、隠しオブジェクト情報を十分な復号器・互換性を持つ方法で含めることで、オーディオ品質における改善を提供できるという点において、特に有利である。つまり、出力信号の品質における上述の改善は、ＩＳＯ／ＭＰＥＧの下で標準化されてきた既存の／展開されている（例えばＳＡＯＣの）復号器の変更を全く必要とせずに達成でき、しかも、標準のＳＡＯＣ仕様への適合性を阻害すること（又は時間を浪費し費用の掛かるプロセスとなるであろう標準を再発行すること）なしには変更できない、ということを意味する。
【００４２】
以下の説明において、「隠しオブジェクト」について言及するであろう。幾つかの実施形態において、追加的パラメトリック情報は、例えば一つ又は複数の隠しオブジェクトを表現してもよい点に留意すべきである。
【００４３】
以下に、本発明の実施形態を図面を参照しながら更に詳細に説明する。
【図面の簡単な説明】
【００４４】
【図１】一つ又は複数のオーディオオブジェクトを符号化して符号化済み信号を得る、一実施形態に係る装置を示す。
【図２】一つ又は複数のオーディオオブジェクトを符号化して符号化済み信号を得る、他の実施形態に係る装置を示す。
【図３】一つ又は複数のオーディオオブジェクトを符号化して符号化済み信号を得る、更に他の実施形態に係る装置を示す。
【図４】一つ又は複数のオーディオオブジェクトを符号化して符号化済み信号を得る、別の実施形態に係る装置を示す。
【図５】一実施形態に係る符号化装置の処理モジュール１２０を示す。
【図６】符号化済み信号を復号化する、一実施形態に係る装置を示す。
【図７】符号化済み信号を復号化する、他の実施形態に係る装置を示す。
【図８】符号化済み信号を復号化する、更に他の実施形態に係る装置を示す。
【図９】符号化済み信号を復号化する、別の実施形態に係る装置を示す。
【図１０】一実施形態に係るシステムを示す。
【図１１】ＭＰＥＧ  ＳＡＯＣの一例を示す現状技術に係るシステムを示す。
【発明を実施するための形態】
【００４５】
図１は、一つ又は複数のオーディオオブジェクトを符号化して符号化済み信号を得る、一実施形態に係る装置を示す。
【００４６】
この装置は、一つ又は複数のオーディオオブジェクトをダウンミックスして、一つ又は複数の未処理のダウンミックス信号を得るダウンミキサ１１０を含む。この目的で、図１のダウンミキサは、一つ又は複数のオーディオオブジェクトを受信し、例えばダウンミックス行列を適用することでオーディオオブジェクトをダウンミックスして、一つ又は複数の未処理のダウンミックス信号を取得する。
【００４７】
更に、この装置は、一つ又は複数の未処理のダウンミックス信号を処理して一つ又は複数の処理済みダウンミックス信号を得る、処理モジュール１２０を含む。処理モジュール１２０は、ダウンミキサから一つ又は複数の未処理のダウンミックス信号を受信して、それらを処理し、一つ又は複数の処理済み信号を取得する。
【００４８】
例えば、処理モジュール１２０は符号化モジュール、例えば知覚的符号器であってもよく、一つ又は複数の未処理のダウンミックス信号を符号化することにより当該未処理のダウンミックス信号を処理して、一つ又は複数の処理済みダウンミックス信号を取得するよう構成されてもよい。処理モジュール１２０は、例えば知覚的オーディオ符号器、例えばＭＰＥＧ−１レイヤII若しくはIII（ｍｐ３としても知られている）オーディオ符号器、又はＭＰＥＧ先進オーディオ符号化（ＡＡＣ）オーディオ符号器などであってもよい。
【００４９】
代替的に、例えば、処理モジュール１２０はオーディオ効果モジュールであってもよく、一つ又は複数の未処理のダウンミックス信号のうちの少なくとも一つに対してオーディオ効果を適用することにより、一つ又は複数の未処理のダウンミックス信号を処理して、一つ又は複数の処理済みダウンミックス信号を取得するよう構成されてもよい。
【００５０】
更に、この装置は、一つ又は複数の追加的信号を計算するための信号計算部１３０を含む。信号計算部１３０は、一つ又は複数の処理済みダウンミックス信号のうちの一つと、一つ又は複数の未処理のダウンミックス信号のうちの一つとの差に基づいて、一つ又は複数の追加的信号の各々を計算するよう構成されている。
【００５１】
信号計算部１３０は、例えば、一つ又は複数の処理済みダウンミックス信号のうちの一つと、一つ又は複数の未処理のダウンミックス信号のうちの一つとの差分信号を計算して、一つ又は複数の追加的信号の一つを生成してもよい。
【００５２】
しかしながら、他の実施形態において、信号計算部１３０は、差分信号を決定する代わりに、一つ又は複数の処理済みダウンミックス信号のうちの前記一つと、一つ又は複数の未処理のダウンミックス信号のうちの前記一つとの間の他の種類の差を決定して、一つ又は複数の追加的信号の一つを生成してもよい。次に、信号計算部１３０は、前記２つの信号間の決定された差に基づいて追加的信号を計算してもよい。
【００５３】
更に、この装置は、一つ又は複数のオーディオオブジェクトについてのパラメトリック・オーディオオブジェクト情報と、追加的信号についての追加的パラメトリック情報とを生成する、オブジェクト情報生成部１４０を含む。
【００５４】
例えば、パラメトリック・オーディオオブジェクト情報と追加的パラメトリック情報とを決定するために、オブジェクトレベル差が決定されてもよい。例えば、あるオーディオオブジェクト・エネルギー値が一つ又は複数のオーディオオブジェクトの各々に対して割り当てられてもよく、ある追加的エネルギー値が一つ又は複数の追加的信号の各々に対して割り当てられてもよい。
【００５５】
オブジェクト情報生成部１４０は、ある参照エネルギー値を決定するよう構成されてもよく、その場合、参照エネルギー値が一つ又は複数のオーディオオブジェクトの各々のオーディオオブジェクト・エネルギー値以上となるように、かつ、その参照エネルギー値が一つ又は複数の追加的信号の各々の追加的エネルギー値以上となるように、決定してもよい。
【００５６】
更に、オブジェクト情報生成部１４０は、一つ又は複数のオーディオオブジェクトの各オーディオオブジェクトについてのオーディオオブジェクト・レベル差を決定することにより、パラメトリック・オーディオオブジェクト情報を決定するよう構成されてもよく、その場合、前記オーディオオブジェクト・レベル差が、前記オーディオオブジェクトのオーディオオブジェクト・エネルギー値と参照エネルギー値との比を示すか、又は、参照エネルギー値と前記オーディオオブジェクトのオーディオオブジェクト・エネルギー値との差を示してもよい。
【００５７】
更に、オブジェクト情報生成部１４０は、一つ又は複数の追加的信号の各追加的信号について追加的オブジェクトレベル差を決定することにより、追加的オブジェクト情報を決定するよう構成されてもよく、その場合、前記追加的オブジェクトレベル差が、前記追加的信号の追加的エネルギー値と参照エネルギー値との比を示すか、又は、参照エネルギー値と前記追加的信号の追加的エネルギー値との差を示してもよい。
【００５８】
例えば、オーディオオブジェクトの各々のオーディオオブジェクト・エネルギー値は、サイド情報としてオブジェクト情報生成部１４０へと送られてもよい。追加的信号の各々のエネルギー値もまた、サイド情報としてオブジェクト情報生成部１４０へと送られてもよい。代替的に、他の実施形態においては、オブジェクト情報生成部１４０自身が追加的信号の各々のエネルギー値を計算してもよく、例えば追加的信号のうちの一つのサンプル値の各々を二乗すること、それら二乗された各サンプル値を合計して中間結果を得ること、及びその中間結果の平方根を計算することで、追加的信号のエネルギー値を得てもよい。次に、オブジェクト情報生成部１４０は、例えば全てのオーディオオブジェクトと全ての追加的信号の最大エネルギー値を、参照エネルギー値として決定してもよい。
【００５９】
次に、オブジェクト情報生成部１４０は、追加的信号の追加的エネルギー値と参照エネルギー値との比を、追加的オブジェクトレベル差として決定してもよい。例えば、追加的エネルギー値が３．０であり、参照エネルギー値が６．０である場合、追加的オブジェクトレベル差は０．５となる。
【００６０】
代替的に、オブジェクト情報生成部１４０は、例えば参照エネルギー値と追加的信号の追加的エネルギー値との差を、追加的オブジェクトレベル差として決定してもよい。例えば、追加的エネルギー値が７．０であり、参照エネルギー値が１０．０である場合には、追加的オブジェクトレベル差は３．０となる。このような差を決定することによって追加的オブジェクトレベル差を計算することは、エネルギー値が対数尺度で表現されている場合に、特に適切である。
【００６１】
他の実施形態では、パラメトリック情報はまた、空間オーディオオブジェクト及び／又は隠しオブジェクト間のオブジェクト間コヒーレンスについての情報を含んでもよい。
【００６２】
更に、この装置は、符号化済み信号を出力する出力インターフェイス１５０を含む。符号化済み信号は、一つ又は複数のオーディオオブジェクトについてのパラメトリック・オーディオオブジェクト情報と、一つ又は複数の追加的信号についての追加的パラメトリック情報とを含む。この目的のために、幾つかの実施形態において、出力インターフェイス１５０は、符号化済み信号が、一つ又は複数のオーディオオブジェクトについてのパラメトリック・オーディオオブジェクト情報と、一つ又は複数の追加的信号についての追加的パラメトリック情報とを含むように、符号化済み信号を生成するよう構成されてもよい。又は、他の実施形態において、オブジェクト情報生成部１４０は、符号化済み信号が、一つ又は複数のオーディオオブジェクトについてのパラメトリック・オーディオオブジェクト情報と、一つ又は複数の追加的信号についての追加的パラメトリック情報とを含むように、符号化済み信号を既に生成しており、その符号化済み信号を出力インターフェイス１５０へと送信してもよい。
【００６３】
図２は、一つ又は複数のオーディオオブジェクトを符号化して符号化済み信号を得る、他の実施形態に係る装置を示す。図２の実施形態において、処理モジュール１２０は、一つ又は複数の未処理のダウンミックス信号を符号化することによってそれら一つ又は複数の未処理のダウンミックス信号を処理し、一つ又は複数の処理済みダウンミックス信号を得るよう構成されている。図２の信号計算部１３０は、復号化ユニット２４０と結合部２５０とを含む。復号化ユニット２４０は、一つ又は複数の処理済みダウンミックス信号を復号化して、一つ又は複数の復号化済み信号を得るよう構成されている。更に、結合部２５０は、一つ又は複数の復号化済み信号のうちの一つと、一つ又は複数の未処理のダウンミックス信号のうちの一つとの差分信号を生成することによって、一つ又は複数の追加的信号の各々を生成するよう構成されている。
【００６４】
本発明の実施形態は、次のような知見を基礎とする。即ち、空間オーディオオブジェクトがダウンミックスされた後で結果として得られたダウンミックス信号は、（非意図的または意図的に）後続の処理モジュールによって変更され得る、という知見である。ダウンミックス信号の変更についての情報を、隠しオブジェクト・サイド情報として、例えば隠しオブジェクトとして符号化する、サイド情報生成部を提供することで、そのような変更による効果を、空間オーディオオブジェクトを再構築するときに（特に、ダウンミックス信号の変更が非意図的であった場合に）排除することができ、又は、再構築された空間オーディオオブジェクトからオーディオチャネルを生成するときに、ダウンミックス信号の（意図的な）変更のどの程度／どのくらいの量までレンダリングされるべきかを決定することができる。
【００６５】
図２の実施形態において、復号化ユニット２４０は、一つ又は複数の復号化済み信号を符号器側で既に生成し、それにより、その一つ又は複数の復号化済み信号が一つ又は複数の未処理のダウンミックス信号と比較されて、処理モジュール１２０によって行なわれた符号化に起因する差が決定され得る。
【００６６】
図３は、一つ又は複数のオーディオオブジェクトを符号化して符号化済み信号を取得する、更なる実施形態にかかる装置を示す。一つ又は複数の未処理のダウンミックス信号の各々は複数の第１信号サンプルを含んでもよく、それら第１信号サンプルの各々が複数の時点のうちの一つに割り当てられている。一つ又は複数の復号化済み信号の各々は複数の第２信号サンプルを含んでもよく、それら第２信号サンプルの各々が複数の時点のうちの一つに割り当てられている。
【００６７】
図３に示す実施形態と図２に示す実施形態との相違点は、信号計算部が時間整合ユニット３４５を更に含むことであり、その時間整合ユニットは、一つ又は複数の復号化済み信号の一つと、一つ又は複数の未処理のダウンミックス信号の一つとを時間整合させるよう構成されており、それにより、未処理のダウンミックス信号の第１信号サンプルの一つが復号化済み信号の第２信号サンプルの一つに割り当てられ、未処理のダウンミックス信号の第１信号サンプルと復号化済み信号の第２信号サンプルとが複数の時点のうちの同じ時点に割り当てられる。
【００６８】
換言すれば、処理モジュール１２０による処理と復号化ユニット２４０による復号化とに時間が掛かるので、未処理のダウンミックス信号と復号化済みダウンミックス信号とは、それらを比較しかつそれらの差を決定するために、時間においてそれぞれ整合されるべきである。
【００６９】
図４は、一つ又は複数のオーディオオブジェクトを符号化して符号化済み信号を取得する、他の実施形態にかかる装置を示す。特に、図４は、追加的パラメータ情報を生成することにより、一つ又は複数のオーディオオブジェクトを符号化する装置を示し、追加的パラメータ情報とは、（例えば一つ又は複数の符号化エラー信号などの）一つ又は複数の追加的信号を追加的パラメータによってパラメータ化するものである。これら追加的パラメータは、復号器側においてユーザーに対して隠されていてもよいため、「隠しオブジェクト」と称されてもよい。
【００７０】
図４の装置は、ミキサ１１０（ダウンミキサ）と、処理モジュール１２０としてのオーディオ符号器と、信号計算部１３０と、オブジェクト情報生成部１４０（サイド情報推定部とも称され得る）とを含む。信号計算部１３０は破線で示され、復号化ユニット２４０（「オーディオ復号器」）と、時間整合ユニット３４５と、結合部２５０とを含む。
【００７１】
図４の実施形態において、結合部２５０は、例えば、（時間整合された）ダウンミックス信号の少なくとも一つと（時間整合された）符号化済み信号の少なくとも一つとの間の少なくとも一つの差、例えば少なくとも一つの差分信号を形成してもよい。ミキサ１１０及びサイド情報推定部１４０は、ＳＡＯＣ符号器モジュールに含まれてもよい。
【００７２】
知覚的オーディオコーデックは、符号化ノイズ信号によって記述され得るダウンミックス信号の信号変化を生じさせる。この符号化ノイズ信号は、復号化側において柔軟性のあるレンダリング能力を使用している場合（非特許文献１０、非特許文献１１を参照）、知覚可能な信号劣化を引き起こす可能性がある。符号化ノイズは、復号化側においてレンダリングされることを意図されない、隠しオブジェクトとして記述され得る。符号化ノイズは「現実の」音源オブジェクト信号と同様にパラメータ化され得る。
【００７３】
更に詳細には、これは例えば以下のように実行され得る。
−ダウンミックス信号は、オーディオコーデックによって符号化／復号化されて（又は他のアルゴリズムによって処理されて）、少なくとも一つの復号化済み信号が得られる（符号化は例えば処理モジュール１２０により実行されてもよい；復号化は例えば復号化ユニット２４０により実行されてもよい）。
−次に、復号化済みの（時間整合された）ダウンミックス信号が（オリジナル）ダウンミックス信号ｘ1...ｘpから差し引かれ、その結果として一つ又は複数の（結合信号である）差分信号が得られ、この差分信号は一つ又は複数の符号化（処理）エラー（ノイズ）信号ｑ1...ｑpを表している。
−エラー信号ｑ1...ｑp（差分信号）とエラー信号混合パラメータｄq,1...ｄq,p（デフォルトにより１に設定されている）とは、ＳＡＯＣ符号器のサイド情報推定部１４０（オブジェクト分析部）へと提供され、その結果、追加的な（隠し）ノイズオブジェクトのパラメータ情報が得られる。ＭＰＥＧ  ＳＡＯＣについては、オブジェクトパワー（隠しオブジェクトとオーディオ音源オブジェクト）同士の相互関係は、そのようなサイド情報の最も基本的な形式として計算される。追加的な隠しノイズオブジェクトは、隠しオブジェクト・サイド情報を表す。
−追加的ノイズオブジェクトのパラメータ情報は、現実のオブジェクトからＳＡＯＣ符号器によって生成されていたＳＡＯＣサイド情報に追加される。（ＳＡＯＣサイド情報は、オーディオオブジェクト・サイド情報として考慮され得る。そのようなオーディオオブジェクト・サイド情報は、例えば、２つ以上の空間オーディオオブジェクトに基づいた２つ以上の空間オーディオオブジェクトの特性を表している。）
【００７４】
図５は、一実施形態に係る符号化装置の処理モジュール１２０を示す。処理モジュール１２０は、音響効果モジュール１２２と符号化モジュール１２１とを含む。音響効果モジュール１２２は、一つ又は複数の未処理のダウンミックス信号の少なくとも一つに対して音響効果を適用し、一つ又は複数の音響的に調整されたダウンミックス信号を得るよう構成されている。更に、符号化モジュール１２１は、一つ又は複数の音響的に調整されたダウンミックス信号を符号化して、一つ又は複数の処理済み信号を得るよう構成されている。
【００７５】
点Ａ及び点Ｃにおける信号はオブジェクト情報生成部１４０へと供給されてもよい。そのため、オブジェクト情報生成部は、未処理のダウンミックス信号に対する音響効果モジュール１２２及び符号化モジュール１２１の効果を決定することができ、更に、その効果を表現する、対応する追加的パラメトリック情報を生成することができる。
【００７６】
任意ではあるが、点Ｂにおける信号もまた、オブジェクト情報生成部１４０へと供給されてもよい。これにより、オブジェクト情報生成部１４０は、点Ａと点Ｂにおける信号を考慮に入れることで、未処理のダウンミックス信号に対する音響効果モジュール１２２の個別の効果を決定できる。これは、例えば点Ａにおける信号と点Ｂにおける信号との間の差分信号を形成することにより実現され得る。
【００７７】
更に、これにより、オブジェクト情報生成部１４０は、点Ｂと点Ｃにおける信号を考慮に入れることで、符号化モジュール１２１の個別の効果を決定できる。これは、例えば、点Ｃにおける信号を復号化し、これら復号化済み信号と点Ｂにおける信号との間の差分信号を形成することにより実現され得る。
【００７８】
図６は、符号化済み信号を復号化する、一実施形態に係る装置を示す。符号化済み信号は、一つ又は複数のオーディオオブジェクトについてのパラメトリック・オーディオオブジェクト情報と、追加的パラメトリック情報とを含む。
【００７９】
この装置は、一つ又は複数の処理済みダウンミックス信号を受信し、かつ符号化済み信号を受信する、インターフェイス２１０を含む。追加的パラメトリック情報は、一つ又は複数の処理済みダウンミックス信号を得るために一つ又は複数の未処理のダウンミックス信号に対して実行された処理を反映している。
【００８０】
更に、この装置は、一つ又は複数の処理済みダウンミックス信号と、パラメトリック・オーディオオブジェクト情報と、追加的パラメトリック情報と、レンダリング情報とに基づいて、複数の空間オーディオ信号を含むオーディオシーンを生成するオーディオシーン生成部２２０を含む。レンダリング情報は、オーディオシーンにおける一つ又は複数のオーディオオブジェクトの配置を示す。オーディオシーン生成部２２０は、オーディオシーン内において追加的パラメトリック情報によって表現される出力信号を減衰させ又は除去するよう構成されている。
【００８１】
例えば、空間オーディオオブジェクト符号化（ＳＡＯＣ）に関し、一つ又は複数のオーディオオブジェクトが一つ又は複数の処理済みダウンミックス信号とパラメトリック・オーディオオブジェクト情報とによって符号化されている場合、レンダリング情報に基づいて、一つ又は複数のオーディオオブジェクトがどのように配置され得るかという点は、当業界において公知である。
【００８２】
しかし、この実施形態によれば、インターフェイスは、一つ又は複数の処理済みダウンミックス信号を得るために一つ又は複数の未処理のダウンミックス信号に対して実行された処理を反映している追加的パラメトリック情報を、更に受信するよう構成されている。つまり、追加的パラメトリック情報は、例えば図１に従う符号化装置によって実行された処理を反映している。
【００８３】
従って、特別な実施形態においては、追加的パラメトリック情報は一つ又は複数の追加的信号に依存してもよく、その追加的信号は、一つ又は複数の処理済みダウンミックス信号のうちの一つと、一つ又は複数の未処理のダウンミックス信号のうちの一つとの間の差を示しており、一つ又は複数の未処理のダウンミックス信号は、一つ又は複数のオーディオオブジェクトのダウンミックスを示し、一つ又は複数の処理済みダウンミックス信号は、一つ又は複数の未処理のダウンミックス信号の処理の結果として得られたものである。
【００８４】
現状技術の復号器は、図１に従う符号化装置によって生成された処理済みダウンミックス信号と符号化済み信号とを受信するであろうが、符号化済み信号に含まれた追加的パラメトリック情報は使用しないであろう。その代わり、現状技術の復号器は、処理済みダウンミックス信号と、符号化済み信号のパラメトリック・オーディオオブジェクト情報と、レンダリング情報とだけを使用して、オーディオシーンを生成するであろう。
【００８５】
しかし、図６の実施形態に従う復号化装置は、符号化済み信号の追加的パラメトリック情報を使用する。これにより、この復号化装置は、図１に従う符号化装置の処理モジュール１２０によって実行された処理を取り消すか又は部分的に取り消すことが可能になる。
【００８６】
追加的パラメトリック情報は、例えば、図１の未処理のダウンミックス信号の一つと図１の処理済みダウンミックス信号の一つとの間の差分信号を示してもよい。そのような差分信号は、オーディオシーンの一つの出力信号として考慮されてもよい。例えば、処理済み信号の各々は、未処理のダウンミックス信号の一つと差分信号との結合として考えられてもよい。
【００８７】
オーディオシーン生成部２２０は、次に、例えばオーディオシーン内においてこの出力信号を減衰させ又は除去するよう構成されてもよく、その結果、例えば、レンダリング情報に依存して、未処理のダウンミックス信号だけが再生されるか、又は、未処理のダウンミックス信号が再生されかつ差分信号の一部分だけが再生されてもよい。
【００８８】
図７は、符号化済み信号を復号化する、他の実施形態に係る装置を示す。オーディオシーン生成部２２０は、オーディオオブジェクト生成部６１０とレンダラー６２０とを含む。
【００８９】
オーディオオブジェクト生成部６１０は、一つ又は複数の処理済みダウンミックス信号と、パラメトリック・オーディオオブジェクト情報と、追加的パラメトリック情報とに基づいて、一つ又は複数のオーディオオブジェクトを生成するよう構成されている。
【００９０】
レンダラー６２０は、一つ又は複数のオーディオオブジェクトと、パラメトリック・オーディオオブジェクト情報と、レンダリング情報とに基づいて、オーディオシーンの複数の空間オーディオ信号を生成するよう構成されている。
【００９１】
一実施形態によれば、レンダラー６２０は、例えば、一つ又は複数のオーディオオブジェクトと、追加的パラメトリック情報と、レンダリング情報とに基づいて、オーディオシーンの複数の空間オーディオ信号を生成するよう構成されてもよく、その場合、レンダラー６２０は、レンダリング情報に含まれる一つ又は複数のレンダリング係数に依存して、オーディオシーンの中で、追加的パラメトリック情報によって表現される出力信号を減衰させ又は除去するよう構成されてもよい。
【００９２】
図８は、符号化済み信号を復号化する別の実施形態に係る装置を示す。図８において、この装置は、オーディオシーンの中で、追加的パラメトリック情報によって表現される出力信号が減衰され又は除去されるかどうかを操作する、一つ又は複数のレンダリング係数を設定するためのユーザーインターフェイス７１０を更に含む。例えばユーザーインターフェイスは、ユーザーがレンダリング係数の一つを、追加的パラメトリック情報によって表現される出力信号が部分的に抑制されることを示す０．５に設定することを可能にしてもよい。又は、例えばユーザーインターフェイスは、ユーザーがレンダリング係数の一つを、追加的パラメトリック情報によって表現される出力信号が完全に抑制されることを示す０に設定することを可能にしてもよい。又は、例えばユーザーインターフェイスは、ユーザーがレンダリング係数の一つを、追加的パラメトリック情報によって表現される出力信号が全く抑制されないことを示す１に設定することを可能にしてもよい。
【００９３】
代替的な実施形態によれば、オーディオシーン生成部２２０は、複数の空間オーディオ信号を含むオーディオシーンを、一つ又は複数の処理済みダウンミックス信号と、パラメトリック・オーディオオブジェクト情報と、追加的パラメトリック情報と、オーディオシーン内の一つ又は複数のオーディオオブジェクトの配置を示すレンダリング情報とに基づいて、生成するよう構成されてもよく、その場合、オーディオシーン生成部は、オーディオシーンを生成するために一つ又は複数のオーディオオブジェクトを生成しないよう構成されてもよい。
【００９４】
図９は、符号化済み信号を復号化する他の実施形態に係る装置を示す。図９の実施形態において、この装置は、一つ又は複数の処理済みダウンミックス信号（「符号化済みダウンミックス」と呼ばれる）を復号化して一つ又は複数の復号化済み信号を得るオーディオ復号器５１０を更に含み、オーディオシーン生成部は、一つ又は複数の復号化済み信号と、パラメトリック・オーディオオブジェクト情報と、追加的パラメトリック情報と、レンダリング情報とに基づいて、複数の空間オーディオ信号を含むオーディオシーンを生成するよう構成されている。
【００９５】
図９の装置は、一つ又は複数の処理済みダウンミックス信号を復号化するオーディオ復号器５１０を含むが、それら処理済みダウンミックス信号は、インターフェイス（図示せず）から復号器５１０へと供給されたものである。結果として得られた復号化済み信号は、次に、オーディオシーン生成部２２０のオーディオオブジェクト生成部（図９の中では仮想オブジェクト分離部５２０と称される）へと供給されるが、そのオーディオシーン生成部２２０は、図９の実施形態においてはＳＡＯＣ復号器である。オーディオシーン生成部２２０は、レンダラー５３０を更に含む。
【００９６】
特に、図９は、一実施形態に従った隠しオブジェクトの抑制を含む、対応するＳＡＯＣ復号化／レンダリングを示す。
【００９７】
図９において、例えば図４の符号器の追加的サイド情報は、復号化側において例えば図９の復号器によって、符号化ノイズを抑制するために使用されることができ、それにより、レンダリングされた音響シーンの知覚される品質を改善できる。より具体的には、以下のように実行され得る。
（１）追加的な隠しオブジェクト情報は、追加的オブジェクトとして（仮想）オブジェクト分離処理の中に組み込まれる。符号化エラーは、「通常の」オーディオ音源オブジェクトと同様に取り扱われる。追加的オブジェクトは、追加的パラメトリック情報の一部として表現されてもよい。
（２）Ｎ個のオーディオオブジェクトの各々は、Ｎ−１個の干渉する音源信号と符号化エラー信号ｑ1...ｑpとを抑制することで、混合信号から分離される。その結果、通常の（隠されない）オーディオ（音源）オブジェクトだけがこのステップで考慮された場合と比較して、オーディオオブジェクト信号の改善された推定が得られる。ここで、符号化エラーの推定も、同様に計算できることに注意されたい。
（３）推定されたオーディオオブジェクト信号をしかるべきレンダリング係数で乗算することで、改善されたオーディオ音源推定
0006277202.tif 000009
をレンダリングすることにより、所望のオーディオシーン（「音響目標シーン」とも称される）が生成される。追加的に演算されたいかなる推定の符号化エラー信号も、レンダリング処理の中では省略される。
【００９８】
実際上、ＭＰＥＧ−Ｄ  ＳＡＯＣのようなシステムでは、第２と第３のステップは、好ましくは、単一の効率的なトランスコーディング処理の中で実行されてもよい。
【００９９】
他の実施形態において、隠しオーディオオブジェクトの概念はまた、符号化側で信号混合に適用された所定のオーディオ効果を復号化側で取り消し又は制御するために利用され得る。ダウンミックスチャネルに対して適用されたいかなる効果も、復号器におけるオブジェクト分離処理の劣化を引き起こし得る。復号化側でダウンミックス信号からこの効果を消去すること、例えば適用されたオーディオ効果を取り消すことは、分離ステップの性能を向上させ、従って、レンダリングされた音響シーンの知覚される品質を向上させる。更に連続的なタイプの操作については、ＳＡＯＣ復号器内の隠しオブジェクトのレンダリングレベルを制御することにより、レンダリングされたオーディオ出力内に現れる効果の量を制御することができる。（追加的パラメトリック情報によって表現される）隠しオブジェクトをゼロのレベルでレンダリングすることにより、レンダリングされた出力信号内の適用された効果はほぼ完全に抑制されることになる。隠しオブジェクトを低レベルでレンダリングすることにより、レンダリングされた出力信号内の適用された効果が低レベルとなる。
【０１００】
一例として、ダウンミックスチャネルに対する残響器の適用は、残響のパラメータ化されたバージョンを隠し（効果）オブジェクトとして伝送し、その隠し（効果）オブジェクトについてゼロの再生レベルを有する通常のＳＡＯＣ復号化レンダリングを適用することで、取り消すことができる。
【０１０１】
より具体的には、これは以下のように実行することができる。
【０１０２】
符号器側において、あるオーディオ効果（例えば残響器）がダウンミックス信号ｘ1...ｘpに対して適用され、変更済みダウンミックス信号ｘ'1...ｘ'pがもたらされる。
【０１０３】
処理済みの時間整合されたダウンミックス信号ｘ'1...ｘ'pが未処理の（オリジナル）ダウンミックス信号ｘ1...ｘpから差し引かれ、残響信号ｑ1...ｑp（効果信号）がもたらされる。
【０１０４】
効果信号ｑ1...ｑpと効果信号混合パラメータｄq,1...ｄq,pとがＳＡＯＣ符号器のオブジェクト分析部へと供給されて、追加的な（隠し）効果オブジェクトのパラメータ情報がもたらされる。
【０１０５】
効果信号のパラメータ化された記述が導出されて、追加的な隠し（効果）オブジェクト情報として、ＳＡＯＣサイド情報推定部により生成されたサイド情報に追加され、その結果、エンリッチサイド情報が伝送／記憶されることになる。
【０１０６】
復号器側では、隠しオブジェクト情報は、追加的オブジェクトとして（仮想）オブジェクト分離処理の中に組み込まれる。隠しオブジェクト（効果信号）は、「通常の」オーディオ音源オブジェクトと同様の方法で取り扱われる。
【０１０７】
Ｎ個のオーディオオブジェクトの各々は、Ｎ−１個の干渉する音源信号および効果信号ｑ1...ｑpを抑制することで、混合信号から分離される。その結果、通常の（隠されない）オーディオ音源オブジェクトだけがこのステップで考慮された場合と比較して、オリジナルオーディオオブジェクト信号の改善された推定が得られる。加えて、残響信号の推定も同様にして計算できる。
【０１０８】
推定されたオーディオオブジェクト信号をしかるべきレンダリング係数で乗算することで、改善されたオーディオ音源推定
0006277202.tif 000010
をレンダリングすることにより、所望の音響目標シーンが生成される。隠しオブジェクト（残響信号）は、（残響信号をゼロのレベルでレンダリングすることにより）ほぼ完全に抑制することができ、又は、もし所望であれば、隠し（効果）オブジェクトのレンダリングレベルをしかるべく設定することにより、あるレベルで適用できる。
【０１０９】
他の実施形態では、オーディオオブジェクト生成部５２０は、隠しオブジェクト
0006277202.tif 000011
についての情報をレンダラー５３０に送ってもよい。
【０１１０】
つまり、このような実施形態では、オーディオオブジェクト生成部５２０は隠しオブジェクト・サイド情報を以下の２つの用途で使用する。
【０１１１】
一方の用途では、オーディオオブジェクト生成部５２０が、オリジナル空間オーディオオブジェクト
0006277202.tif 000012
を再構築するために、隠しオブジェクト・サイド情報を使用する。そのようなオリジナル空間オーディオオブジェクト
0006277202.tif 000013
は、符号器側において例えばオーディオ効果モジュールによって実行されたダウンミックス信号ｘ1,...,ｘpの変更の影響を受けていない。
【０１１２】
他方の用途では、オーディオオブジェクト生成部５２０は、符号器側のダウンミックス信号ｘ1,...,ｘpの（例えば意図的な）変更についての情報を含む隠しオブジェクト・サイド情報を、例えば隠しオブジェクト
0006277202.tif 000014
としてレンダラー５３０に送り、オーディオオブジェクト・レンダラーがそれを隠しオブジェクト・サイド情報として受信してもよい。
【０１１３】
レンダラー５３０は、次に、受信された隠しオブジェクト
0006277202.tif 000015
が音響シーンの中でレンダリングされるかどうかを制御してもよい。レンダラー５３０は更に、オーディオ効果のレンダリングレベルに依存して、一つ又は複数のオーディオチャネル内におけるオーディオ効果の量を制御するよう構成されてもよい。例えば、レンダラー５３０は、オーディオ効果のレンダリングレベルを提供する制御情報を受信してもよい。
【０１１４】
例えば、レンダラー５３０は、一つ又は複数の結合信号のレンダリングレベルが設定可能となるように、オーディオ効果の量を制御するよう構成されてもよい。レンダリングレベルは、レンダラー５３０が隠しオブジェクト・サイド情報により示される結合信号をどの程度までレンダリングするかを示してもよく、その結合信号は、例えば符号器側で適用された音響効果を表現する差分信号である。例えば、レンダリングレベル０は結合信号が完全に抑制されていることを示してもよく、レンダリングレベル１は結合信号が全く抑制されないことを示してもよい。レンダリングレベルｓ（０＜ｓ＜１）は、結合信号が部分的に抑制されることを示してもよい。
【０１１５】
以下に、ＳＡＯＣの例についての隠しオブジェクトの取り扱いを説明する。隠しオブジェクトについての情報は、追加的パラメトリック情報として考慮されてもよい点に留意すべきである。
【０１１６】
まず、用語及び定義について説明する。
Ｓ    Ｎ個のオリジナルオーディオオブジェクト信号（Ｎ行）の行列（上述したオーディオオブジェクトを表わす）
0006277202.tif 000016
Ｎ個の推定されたオリジナルオーディオオブジェクト信号（Ｎ行）の行列
Ｘ    Ｐ個の未処理のダウンミックスチャネル（Ｐ行）の行列（上述したダウンミックス信号を表わす）
Ｘ’  Ｐ個の未処理のダウンミックスチャネル（Ｐ行）の行列（上述した処理済み信号を表わす）
Ｙ    オリジナル音源信号を使用する、Ｍ個のレンダリングされた出力チャネル（Ｍ行）の行列
0006277202.tif 000017
推定された音源信号を使用する、Ｍ個のレンダリングされた出力チャネル（Ｍ行）の行列
Ｄ    サイズＰ×Ｎのダウンミックス行列
Ｇ    サイズＮ×Ｐの音源推定行列
ＯＬＤi  ＳＡＯＣの定義に従って演算される、音源オブジェクト（空間オーディオオブジェクトの一つ）ｓiのエネルギー、ｉ＝１,...Ｎ
ＩＯＣij  ＳＡＯＣの定義に従って演算される、音源オブジェクト（空間オーディオオブジェクトの一つ）ｓiとｓjとの相互相関、ｉ，ｊ＝１,...Ｎ
Ｒ    サイズＭ×Ｎのレンダリング行列
【０１１７】
（一種の追加的パラメトリック情報である）隠しオブジェクト・サイド情報を使用せずに、例えば隠しオブジェクトを考慮せずに、ＳＡＯＣ内でオブジェクト音源ｓ1,...,ｓNを推定するのは、以下のように実行され得る。
0006277202.tif 000018
【０１１８】
これは、ＸがＸ’と等しい場合にのみ、最小二乗誤差の意味でオリジナル音源（空間オーディオオブジェクト）ｓ1,...,ｓNの最良の推定をもたらす。
【０１１９】
例えば、ダウンミックスの符号化／圧縮またはダウンミックスに適用された残響に起因して、Ｘ’≠Ｘとなる場合、この推定はオリジナル音源の可能な最良の推定をもたらさない。
【０１２０】
所望の目標シーンは以下のように演算されてもよい。
0006277202.tif 000019
【０１２１】
そこで、（一種の追加的パラメトリック情報である）隠しオブジェクト・サイド情報を使用した推定、例えば、一実施形態に従い隠しオブジェクトとしてダウンミックス変更を考慮した場合の、オブジェクト音源ｓ1,...,ｓNの推定が考慮される。
【０１２２】
信号変更（符号化、残響効果）が分離処理において考慮される場合には、オリジナル音源ｓ1,...,ｓNの改善された推定が実行され得る。
【０１２３】
ＳＡＯＣの中では、これらの変更は、ＳＡＯＣの最も簡素な形式において、ダウンミックス内の追加的な隠しオブジェクトとして解釈することができ、音源推定処理の中で考慮され得る。
【０１２４】
例えばＰ個の信号チャネルからなる一つの隠しオブジェクトの例について、隠しオブジェクト・サイド情報を使用した演算をここで考察する。この目的のため、幾つかの追加的な項目と定義について説明する。
Ｇ’  オリジナル音源及び隠しオブジェクトを考慮に入れた、サイズ（Ｎ＋Ｐ）×Ｐの音源推定行列
ＯＬＤ'i    ＳＡＯＣの定義に従って演算される、オリジナル音源と隠しオブジェクトＳiのエネルギー，ｉ＝１,...（Ｎ＋Ｐ）
ＩＯＣ'ij    ＳＡＯＣの定義に従って演算される、全てのオブジェクト（オリジナル音源と隠しオブジェクト）ｓiとｓjとの間の相互相関、ｉ，ｊ＝１,...（Ｎ＋Ｐ）
注意：オリジナル音源と隠しオブジェクトとの間の相互相関は、殆どの場合ゼロと想定されることができ、よって演算する必要がない
Ｄ’  オリジナル音源及び隠しオブジェクトのミキシング係数を記述するサイズＭ×（Ｎ＋Ｐ）のダウンミックス行列であって、ミキシング係数は、（例えばダウンミックスに関連する情報など）隠しオブジェクトについてデフォルトでは１である
0006277202.tif 000020
推定されたオリジナル・オーディオオブジェクト及び隠しオブジェクト信号のサイズ（Ｎ＋Ｐ）の行列
Ｒ’  サイズＭ×（Ｎ＋Ｐ）のレンダリング行列
【０１２５】
オリジナル音源ｓ1,...,ｓNの改善された推定は、以下のように演算されてもよい。
0006277202.tif 000021
【０１２６】
これにより、オリジナル音源ｓ1,...,ｓNの改善された推定が得られる。
【０１２７】
デフォルト処理とは異なり、隠しオブジェクトからの信号部分は、オリジナル音源の推定
0006277202.tif 000022
の中で抑制される。これにより、隠しオブジェクトの推定も得られる点に注意されたい。
【０１２８】
次に、所望の目標シーンが以下のように演算されてもよい。
0006277202.tif 000023
【０１２９】
アプリケーション・シナリオに依存して、
−隠しオブジェクトは、Ｒ'内の対応するレンダリング係数をゼロに設定することにより、レンダリングから省略することができ（これは、ダウンミックス信号の符号化から符号化ノイズを抑制するためのデフォルトシナリオになるであろう）、又は、
−隠しオブジェクトはゼロでないレベルでレンダリングされる。
【０１３０】
例えば、隠しオブジェクトを低レベルでレンダリングすると、レンダリングされた出力信号内において低レベルの隠しオブジェクト（例えば残響）がもたらされる。
【０１３１】
図１０は、一実施形態にかかるシステムを示す。このシステムは、上述した実施形態の一つに従う、一つ又は複数のオーディオオブジェクトを符号化する装置８１０と、上述した実施形態の一つに従う、符号化済み信号を復号化する装置８２０と、を含む。
【０１３２】
符号化装置８１０は、一つ又は複数の処理済みダウンミックス信号と一つの符号化済み信号とを復号化装置８２０へと供給するよう構成されており、符号化済み信号は、一つ又は複数のオーディオオブジェクトについてのパラメトリック・オーディオオブジェクト情報と、一つ又は複数の追加的信号についての追加的パラメトリック情報とを含む。復号化装置８２０は、パラメトリック・オーディオオブジェクト情報と、追加的パラメトリック情報と、オーディオシーン内の一つ又は複数のオーディオオブジェクトの配置を示すレンダリング情報とに基づいて、複数の空間オーディオ信号を含むオーディオシーンを生成するよう構成されている。
【０１３３】
これまで装置を説明する文脈で幾つかの態様を示してきたが、これらの態様は対応する方法の説明でもあることは明らかであり、そのブロック又は装置が方法ステップ又は方法ステップの特徴に対応することは明らかである。同様に、方法ステップを説明する文脈で示した態様もまた、対応する装置の対応するブロックもしくは項目又は特徴を表している。
【０１３４】
本発明の分解された信号は、デジタル記憶媒体に記憶されることができ、又はインターネットのような無線伝送媒体もしくは有線伝送媒体などの伝送媒体を通じて伝送されることができる。
【０１３５】
所定の構成要件にも依るが、本発明の実施形態は、ハードウエア又はソフトウエアにおいて構成可能である。この構成は、その中に格納される電子的に読み取り可能な制御信号を有し、本発明の各方法が実行されるようにプログラム可能なコンピュータシステムと協働する（又は協働可能な）、デジタル記憶媒体、例えばフレキシブルディスク，ＤＶＤ，ＣＤ，ＲＯＭ，ＰＲＯＭ，ＥＰＲＯＭ，ＥＥＰＲＯＭ，フラッシュメモリなどのデジタル記憶媒体を使用して実行することができる。
【０１３６】
本発明に従う幾つかの実施形態は、上述した方法の一つを実行するようプログラム可能なコンピュータシステムと協働可能で、電子的に読み取り可能な制御信号を有する非一時的なデータキャリアを含む。
【０１３７】
一般的に、本発明の実施例は、プログラムコードを有するコンピュータプログラム製品として構成することができ、そのプログラムコードは当該コンピュータプログラム製品がコンピュータ上で作動するときに、本発明の方法の一つを実行するよう作動可能である。そのプログラムコードは例えば機械読み取り可能なキャリアに記憶されていても良い。
【０１３８】
本発明の他の実施形態は、上述した方法の一つを実行するための、機械読み取り可能なキャリアに記憶されたコンピュータプログラムを含む。
【０１３９】
換言すれば、本発明の方法のある実施形態は、そのコンピュータプログラムがコンピュータ上で作動するときに、上述した方法の一つを実行するためのプログラムコードを有するコンピュータプログラムである。
【０１４０】
本発明の他の実施形態は、上述した方法の一つを実行するために記録されたコンピュータプログラムを含む、データキャリア（又はデジタル記憶媒体又はコンピュータ読み取り可能な媒体）である。
【０１４１】
本発明の他の実施形態は、上述した方法の一つを実行するためのコンピュータプログラムを表現するデータストリーム又は信号列である。そのデータストリーム又は信号列は、例えばインターネットを介するデータ通信接続を介して伝送されるよう構成されても良い。
【０１４２】
他の実施形態は、上述した方法の一つを実行するように構成又は適応された、例えばコンピュータ又はプログラム可能な論理デバイスのような処理手段を含む。
【０１４３】
他の実施形態は、上述した方法の一つを実行するためのコンピュータプログラムがインストールされたコンピュータを含む。
【０１４４】
幾つかの実施形態においては、（例えば書換え可能ゲートアレイのような）プログラム可能な論理デバイスが、上述した方法の幾つか又は全ての機能を実行するために使用されても良い。幾つかの実施形態では、書換え可能ゲートアレイは、上述した方法の一つを実行するためにマイクロプロセッサと協働しても良い。一般的に、そのような方法は、好適には任意のハードウエア装置によって実行される。
【０１４５】
上述した実施形態は、本発明の原理を単に例示的に示したにすぎない。本明細書に記載した構成及び詳細について修正及び変更が可能であることは、当業者にとって明らかである。従って、本発明は、本明細書に実施形態の説明及び解説の目的で提示した具体的詳細によって限定されるものではなく、添付した特許請求の範囲によってのみ限定されるべきである。
【図１】
0006277202.tif 000028
【図２】
0006277202.tif 000029
【図３】
0006277202.tif 000030
【図４】
0006277202.tif 000031
【図５】
0006277202.tif 000032
【図６】
0006277202.tif 000033
【図７】
0006277202.tif 000034
【図８】
0006277202.tif 000035
【図９】
0006277202.tif 000036
【図１０】
0006277202.tif 000037
【図１１】
0006277202.tif 000038